(57)【特許請求の範囲】
【請求項１】
取付下地に係止される基部と、その基部から突出したブラケット部と、そのブラケット部から上方向及び下方向に延びる壁板係合部とを有し、
その壁板係合部と前記基部とで、その壁板係合部の上下に位置する壁板の本体小口面に設けられた凸部を挟みこんで支持することにより、それら上下の壁板を前記取付下地に取付ける取付具であって、
その壁板係合部の上側及び下側の少なくともいずれか一方の先端を覆い、かつ、その壁板係合部に対し、前記小口面の長手方向に摺動可能な硬質部材からなる摺動カバーを有することを特徴とする壁板の取付具。
【請求項２】
取付下地に係止される基部と、その基部から突出したブラケット部と、そのブラケット部から上方向又は下方向に延びる壁板係合部とを有し、
その壁板係合部と前記基部とで、その壁板係合部の上側又は下側に位置する壁板の本体小口面に設けられた凸部を挟みこんで支持することにより、その壁板を前記取付下地に取付ける取付具であって、
その壁板係合部の先端を覆い、かつ、その壁板係合部に対し、前記小口面の長手方向に摺動可能な硬質部材からなる摺動カバーを有することを特徴とする壁板の取付具。
【請求項３】
前記摺動カバーには前記壁板の本体小口面に打込まれる先端が鋭利な突起が設けられている請求項１又は請求項２記載の壁板の取付具。
【請求項４】
前記壁板係合部は、前記小口面の長手方向には変化しない一定断面を有するものである請求項１〜３のいずれか１項記載の壁板の取付具。
【請求項５】
前記摺動カバーは、Ｕ字型断面を有し、その脚部端にはフランジを設けた請求項１〜請求項４のいずれか１項記載の壁板の取付具。
【発明の詳細な説明】
【０００１】
【産業上の利用分野】
本発明は、壁板を取付下地に取り付ける取付具に関するものである。より詳しくは、壁板の本体小口面に設けられた凸部を挟み込むため、上方向及び／又は下方向に延びる壁板係合部を有する壁板の取付具に関するものである。
【０００２】
【従来の技術】
壁板を取付下地に取り付ける取付具として、図１３に示すように、上方向及び／又は下方向に延びる壁板係合部３を有し、その壁板係合部３とブラケット部２を介して連結されている基部１とで壁板の本体小口面に設けられた凸部を挟み込む構造の壁板の取付具が、従来から使用されている（例えば、実開平３−１１７０３９号、特開平１０−２０８６号、特開昭６３−１８１８４８号参照）。
【０００３】
これらの壁板の取付具は、壁板同士の不陸を自動的になくし、施工が容易で、また、その取付具の壁板係合部３を壁板表側面から隠すことが容易なので、薄型の壁板や、構造壁の外装材又は内装材として使用する壁板など、軽量な壁板に使用されることが多い。また、これらの壁板の取付具は、軽量な壁板に使用するため、壁板の自重受けとしても兼用して使用し、一枚板から打出し折曲加工して製造することにより、製造にかかる手間及び経費をおさえる事もある。
【０００４】
さらに、取付具の壁板係合部３と基部１とで壁板の本体小口面に設けられた凸部を挟み込むのみで、壁板小口面の長手方向には固定しない構造である。そのため、地震時等に取付下地が壁板の面方向に揺動した場合には、その揺動をその取付具の壁板係合部と、前記凸部や壁板の本体小口面部分とがスライドすることにより吸収し、壁板が変形あるいは破壊されないとされている。
【０００５】
【発明が解決しようとする課題】
しかし、壁板が脆弱である場合や、地震等による揺れが大きい場合には、取付具の壁板係合部と壁板の前記凸部との摩擦力のみで壁板が変形あるいは破壊されることがあり、このような場合においても、壁板が変形あるいは破壊されない壁板の取付具の開発が望まれていた。
【０００６】
従って、本発明の目的は、壁板が脆弱である場合や、地震による揺れが大きい場合においても、壁板を変形あるいは破壊することのない壁板の取付具を提供することにある。
【０００７】
【課題を解決するための手段】
以上のような課題を解決するために本発明の壁板の取付具は、取付下地に係止される基部と、その基部から突出したブラケット部と、そのブラケット部から上方向及び下方向に延びる壁板係合部とを有し、その壁板係合部と前記基部とで、その壁板係合部の上下に位置する壁板の本体小口面に設けられた凸部を挟みこんで支持することにより、それら上下の壁板を前記取付下地に取付ける取付具であって、その壁板係合部の上側及び下側の少なくともいずれか一方の先端を覆い、かつ、その壁板係合部に対し、前記小口面の長手方向に摺動可能な硬質部材からなる摺動カバーを有することを特徴とする。
【０００８】
また、取付下地に係止される基部と、その基部から突出したブラケット部と、そのブラケット部から上方向又は下方向に延びる壁板係合部とを有し、その壁板係合部と前記基部とで、その壁板係合部の上側又は下側に位置する壁板の本体小口面に設けられた凸部を挟みこんで支持することにより、その壁板を前記取付下地に取付ける取付具であって、その壁板係合部の先端を覆い、かつ、その壁板係合部に対し、前記小口面の長手方向に摺動可能な硬質部材からなる摺動カバーを有することを特徴とする。
【０００９】
本発明によると、摺動カバーを壁板小口面の長手方向に摺動可能な硬質部材からなるものとしたので、地震時等に取付下地が変形したときには、壁板と取付具との間のずれを、その取付具の壁板係合部と摺動カバーとのずれによって吸収することができる。そのため、摺動カバーは壁板の本体小口面に固定され、摺動カバーが壁板小口面又はそれに設けられた凸部を擦らない。従って、壁板小口面に摩擦力が働かず、壁板が変形又は破壊することがない。
【００１０】
なお、取付具の壁板係合部が上下に延びている場合には、摺動カバーは上方向に延びる壁板係合部又は下方向に延びる壁板係合部のいずれの先端を覆ってもよいが、その両方の先端部を覆っていてもよい。また、摺動カバーに使用する硬質部材には、金属やセラミックのほかにプラスチック等を用いてもよい。摺動カバーを大きくして、壁板にかかる風荷重が大きくても耐えることができるように工夫してもよい。
【００１１】
壁板が木質系のものである場合や、軽量気泡コンクリート板やケイ酸カルシウム板、セメントケイ酸カルシウム板など、前記木質系のものと同等のものか、それより柔らかい窯業系のものである場合などには次のような構成とすると好適である。すなわち、本発明において、前記摺動カバーには前記壁板の本体小口面に打込まれる先端が鋭利な突起が設けられていると、その先端が鋭利な突起によって前記摺動カバーが壁板の本体小口面にしっかりと固定される。そのため、摺動カバーが壁板小口面又はそれに設けられた凸部を壁板の幅方向に擦ることを確実に防ぐことができる。
【００１２】
さらに、摺動カバーは壁板の厚さ方向にも固定され、しかも、その突起の分壁板の内部を支持することができ、より広い体積部分で壁板にかかる荷重を本取付具に伝達することができる。したがって、より壁板が脆弱である場合や、地震による揺れがさらに大きい場合にも壁板小口面が変形したり、破壊されたりしなくなる。
【００１３】
なお、前記摺動カバーの外側に凹凸を有する樹脂シートを貼り付けたり、摺動カバーの外側をやすり状に加工したりすることにより、摺動カバーの外側の表面粗さを荒くすることや、摺動カバーの外側に接着材を塗布することによっても、摺動カバーが壁板小口面又はそれに設けられた凸部を壁板の幅方向に擦ることを防ぐ効果を高めることができる。また、先端が鋭利な突起を設けた上で、これらを併用してもよい。
【００１４】
本発明において取付具の前記壁板係合部は、前記小口面の長手方向には変化しない一定断面を有するものであると、負荷の伝達面積が大きくなり、安定性が増すため、摺動カバーのガイドとして適切になり、しかも、摺動カバーが取付具の壁板係合部先端に沿って摺動しやすくなる。
【００１５】
また、本発明において前記摺動カバーは、Ｕ字型断面を有し、その脚部端にはフランジを設けたものであると、摺動カバーを壁板小口面に設けられた溝に挿入する場合において、摺動カバーが円滑に挿入されるように、そのフランジがガイドする。そのため、摺動カバーが傾いたまま奥に引っかかることなく、摺動カバーを溝内に挿入することができる。なお、壁板小口面に溝を設け、その溝を係合する場合においては、壁板小口面に設けられた溝の壁板裏面側が前記凸部となる。
【００１６】
そして本発明において、前記突起を、前記摺動カバー内部に存在する部材の一端に設け、その部材の他端を前記取付具の壁板係合部先端で押すことにより、その突起が前記摺動カバーにあけられた穴から押し出される構造とすると、本取付具の使用前は、突起を摺動カバー内部に収納しておくことかできるので、壁板の取付具の取扱い時に手などを傷つけないという利点がある。
【００１７】
【発明の実施の形態】
［第一実施形態］
本発明の第一の実施形態を図１及び図２に示す。
図１に示すように本形態の壁板の取付具本体は、取付下地に係止される基部１、及びその基部１から突出したブラケット部２、そのブラケット部２から上方向及び下方向に延びる壁板係合部３とを、一枚の平板を切欠折曲することにより一体製作し、手間及び経費を低減している。また、その平板の中央部をコの字形状に切り出し、外周部を基部１のうちのスペーサーとして機能する部分とし、内部が基部１の一部分とブラケット部２及び取付具の壁板係合部３となるようにしている。
【００１８】
外周部はさらにその４隅の矩形状部が切り取られ、残った矩形状の耳部が折り曲げられ全体として箱状に形成され、その結果、上下左右の折曲片部１ｂ，１ｃと壁板当接面部１ａとを構成している。その折曲片部のうち、下側及び左右側の折曲片部１ｃは壁板当接面部１ａから直角に折り曲げられているが、上側の折曲片部１ｂは４５度程度に折り曲げられ傾斜片部１ｂａとされている。
【００１９】
さらに、上側の折曲片部１ｂはその反対側すなわち、上方向に４５度折り曲げられ上部係止片１ｂｂとされ、各面部にクギやネジ等の止め具を挿入するための穴が開けられている。
また、下側及び左右側の折曲片部１ｃの先端、及び上部係止片１ｂｂが同一平面内にあるようにその長さが揃えられ、それらは全体としてスペーサーとして機能している。
【００２０】
その外周部から上側を残してコ字形に繰り抜かれた内側は、前記折曲片部１ｂ，１ｃと同じ方向に直角に折り曲げられ、前記下側及び左右側の折曲片部１ｃと同じ長さの内側折曲面１ｄを形成している。また、その先が反対側に直角に折り曲げられて下部係止片１ｅとされており、同方向に直角に折曲されて壁板の表側方に突出し、ブラケット部２とされている。さらに、下部係止片１ｅにもクギやネジ等の止め具を挿入するための穴が開けられている。
【００２１】
ブラケット部２は図２に示すように中央部に幅方向の切り欠きを追加した変形Ｍ字状に切り欠き、その切り欠きより先端側を、直角よりやや小さく折曲して上方向に延びる上側係合片３ａとされている。この場合、その折曲により、変形Ｍ字状切り欠き部分は自動的に下方を向くが、さらに壁板の表側方向を向くように数度折曲修正され下方向に延びる下側係合片３ｂとなされている。
【００２２】
そのため、その上側係合片３ａは平板状であるため、ブラケット部２の長手方向には変化しない一定の断面を有しており、また、本取付具の壁板係合部３とブラケット部２とで断面倒Ｙ字形状をなしている。さらに、下側係合片３ｂの先端部分３ｂａには、壁板の本体小口面に打込む目的で、鋭利に研かれた突起３ｂｂが設けられている。
【００２３】
なお、本取付具の壁板係合部３の上側係合片３ａには、その先端３ａａを覆うように、その上側係合片３ａの長手方向（図示矢印Ｘ方向）に摺動可能な硬質部材からなる摺動カバー４が取り付けられている。具体的には、摺動カバー４は、最初にその平板の一部をＶ字状に切り欠いておき、その後残りの部分を折り曲げてＵ字型断面を有するように製作されており、その脚部端にはフランジ４ａｂが設けられている。そのＶ字状の切り欠きは、壁板の本体小口面に打込む目的で、鋭利に研かれた突起４ａａとなっている。
【００２４】
以上のように構成された本発明の第一実施形態の、壁板の取付具の使用方法を、図３を用いて説明する。本取付具によって取り付ける壁板Ｐは、その下部及び上部小口面５，６に目地が形成されており、下部小口面５の壁板Ｐ裏側部には、中央線部分の溝部５ｂを挟んで小口面５から窪んだ雌実状の凸部５ａが設けられている。また、上部小口面６裏側部には、小口面６から突出した雄実状の凸部６ａが前記雌実状の凸部５ａとほぼ嵌合するように設けられている。なお、これら凸部５ａ，６ａの表側側面には本取付具の壁板係合部３を挿入しやすいように先端ほど拡開する傾斜が付けられている。
【００２５】
このような壁板Ｐを取付下地Ｂに取り付けるに際し、本取付具を取付下地Ｂにビス又は釘などの止め具７を用いて取り付ける。このとき、取付下地Ｂが鋼製である場合などは、上部係止片１ｂｂを、止め具７を用いて取り付ければよいが、木製である場合などは、取付下地Ｂの時間的ひずみ増大等による変形を考慮して傾斜片部１ｂａを用いて、また、場合によっては傾斜片部１ｂａと下部係止片１ｅの両方を用いて取り付ける必要がある。なお、傾斜片部１ｂａを設けたのは、止め具７をその傾斜片部１ｂａに垂直に打ち込むと壁板Ｐの重量を取付下地Ｂに有効に伝達しやすく、また取付下地Ｂの前記時間的ひずみ増大などを防止することができるからである。
【００２６】
このようにして基部１が取付下地Ｂに係止された本取付具Ｔにおける壁板係合部３の下側係合片３ｂに下側の壁板Ｐの上部小口面６が支持され、摺動カバー４を有する上側係合片３ａに上側の壁板Ｐの下部小口面５が支持されている。下側係合片３ｂと壁板当接面部１ａとの間隔は、壁板の上部小口面６における雄実状の凸部６ａがちょうど嵌合するように設定されており、また、上側係合片３ａと壁板当接面部１ａとの間隔は、摺動カバー４の裏面側脚部を挟んで壁板の下部小口面５における雌実状の凸部５ａがちょうど嵌合するように設定されている。
【００２７】
その結果、本形態の壁板の取付具Ｔはその取付具の壁板係合部３と前記基部１とで、その壁板係合部３上下に位置する壁板の本体小口面５，６に設けられた凸部５ａ，６ａを挟みこんで支持している。なお、下側係合片３ｂの先端３ｂａ部分の突起３ｂｂは下側壁板の上部小口面６に突きささっており、また、前記摺動カバー４の先端が鋭利な突起４ａａは、上側壁板の前記溝部５ｂの最奥部に突きささって壁板にしっかりと固定されている。
【００２８】
本形態の取付具を用いて壁板Ｐを取り付けた場合において、地震時等に取付下地Ｂが壁板Ｐの面方向（図示矢印Ｘ方向）に揺動変形した場合の状態図を図４に示す。この場合下側壁板Ｐの上部小口面６に本取付具の下側係合片３ｂの突起３ｂｂが食い込んでいるため、下側壁板Ｐの上部小口面６と取付下地Ｂとの相対的な位置は移動できない。しかし、上側の壁板Ｐの下部小口面５に突起４ａａを食い込ませることにより固定された摺動カバー４と上側係合片３ａとは容易にスライドし、そのため上側の壁板Ｐの下部小口面５と取付下地Ｂとの相対的な位置もその分移動する。
【００２９】
その結果、壁板Ｐが変形せずにすみ、また、壁板小口面５，６に摩擦力が働かない。しかも、壁板Ｐ上下の小口面５，６は本取付具の上側及び下側の突起４ａａ，３ｂｂによって壁板Ｐの厚さ方向にも固定されているため、壁板Ｐが破壊されることがない。
【００３０】
［第二実施形態］
次に、本発明の第二の実施形態を図５及び図６に示す。
本実施形態における壁板の取付具も、図５のように矩形状平板の内側がコ字状に切り取られ外周がスペーサーとして機能し、また、その部分はその４隅が切り取られ、左右及び上側の耳部が折り曲げられている。その結果、上側及び左右の折曲片部１ｂ，１ｃと壁板当接面部１ａとを構成している。上側折曲片部１ｂは、第一実施形態と同様に傾斜片部１ｂａと上部係止片１ｂｂとから形成されている。
【００３１】
コ字状に折曲された部分の下側は壁板の表側方に直角に折曲されてブラケット部２となり、その結果、下側を残してコ字形に繰り抜かれた内側部分は壁板の裏方向を向いている。さらに、その内側部分の先側半分は下向きに直角に折り曲げられ、下部係止片１ｅとなっており、ブラケット部２の先端側は上向方向に直角よりやや小さく折曲されて上方向に延び、本取付具の壁板係合部３となっている。
【００３２】
なお、図６に示すように摺動カバー４は第一実施形態と同様にＵ字型断面を有しており、また、本取付具の壁板係合部３は平板状であるため、ブラケット部２の長手方向には変化しない一定の断面を有しており、摺動カバー４が本取付具の壁板係合部先端３ａａに沿って図示矢印Ｘ方向に摺動しやすくなるようにできている。
【００３３】
また、図７に示すように、本発明の第二の実施形態における壁板の取付具Ｔは、本発明第一実施形態と同様の壁板Ｐで構成した壁面の最下部小口面５を支持する。そのため、基部１のブラケット部２より下側が省略された構造となっているが、壁板の取付具Ｔの使用方法等は、第一の実施形態と同様である。
【００３４】
［第三実施形態］
さらに、本発明の第三の実施形態を図８及び図９に示す。
図８及び図９に示すように、本形態の壁板の取付具における基部１は第一実施形態の壁板の取付具における基部１と同じである。しかし、本形態における壁板の取付具の、上側及び下側の係合片３ａ，３ｂは、その壁板の表側方に突出したブラケット部２の先端側の両端から４分の１の２箇所に切り欠きを入れて折曲することにより製作されている。
【００３５】
そして、その両外側が上向きに直角に折り曲げられて上側係合片３ａとなっており、内側は下向きに直角に折り曲げられて下側係合片３ｂとなっている。従って、一対の上側係合片３ａ及び下側係合片３ｂは平板状であるため、ブラケット部２の長手方向には変化しない一定の断面を有しており、摺動カバー４ａ，４ｂが本取付具の壁板係合部における上側及び下側の先端３ａａ，３ｂａに沿って摺動しやすくなるようにできている。
【００３６】
また、ブラケット部２と上側及び下側の係合片３ａ，３ｂとでその断面がＴ字形状をなしている。その上側及び下側の両方の係合片３ａ，３ｂには、それぞれＵ字型断面を有する摺動カバー４ａ，４ｂがその先端を覆うように取り付けられている。さらに、その上側の摺動カバー４ａの壁板裏面側脚部端にはフランジ４ａｂが設けられている。
【００３７】
本実施形態においては、先端が鋭利な突起４ａａ，４ｂａは前記摺動カバー４ａ，４ｂ内部に存在する棒状部材４ａｃ，４ｂｂの一端に設けられており、その棒状部材４ａｃ，４ｂｂの他端を前記取付具の壁板係合部における上側及び下側の先端３ａａ，３ｂａで押すことにより、その突起４ａａ，４ｂａが前記摺動カバー４ａ，４ｂにあけられた穴から押し出される構造となっている。
【００３８】
また、その棒状部材４ａｃ，４ｂｂの厚さは上側及び下側係合片３ａ，３ｂの厚さとほぼ同じ大きさとなっており、前記摺動カバー４ａ，４ｂはそれらを覆うように取り付けられている。そのため、本取付具の使用前は、突起４ａａ，４ｂａを摺動カバー４ａ，４ｂ内部に収納しておくことができる。
【００３９】
本発明の第三の実施形態における壁板の取付具の使用方法を、図１０を用いて説明する。本取付具Ｔによって取り付ける壁板Ｐは、その左右端部の上下小口面５，６の長さ方向中央線部分に溝部５ｂ，６ｂが切られており、その裏面側に設けられている凸部５ａ，６ａが本取付具の壁板係合部３と基部１とで挟みこまれている。その溝部５ｂ，６ｂに上側及び下側の係合片３ａ，３ｂ及び棒状部材４ａｃ，４ｂｂを覆った摺動カバー４ａ，４ｂが挿入されいる。また、前記棒状部材４ａｃ，４ｂｂの先端が鋭利な突起４ａａ，４ｂａは、前記溝部５ｂ，６ｂの最奥部に突きささって壁板Ｐにしっかりと固定されている。
【００４０】
この場合、棒状部材４ａｃ，４ｂｂの先端が鋭利な突起４ａａ，４ｂａは摺動カバー４ａ，４ｂにあけられた穴４ａｄ，４ｂｃから押し出された構造となっているので、棒状部材４ａｃ，４ｂｂは摺動カバー４ａ，４ｂと一体化され、壁板Ｐにしっかりと固定されていることとなる。そのため、地震時等に取付下地Ｂが揺動変形した場合においても、棒状部材４ａｃ，４ｂｂを一体化した摺動カバー４ａ，４ｂと上側及び下側の係合片３ａ，３ｂとは容易にスライドし、壁板小口面５，６に摩擦力が働かない。しかも、壁板Ｐ上下の小口面５，６は本取付具の上下の突起４ａａ，４ｂａによって壁板Ｐの厚さ方向にも固定されているため、壁板Ｐが破壊されることがない。
【００４１】
［第四実施形態］
最後に、本発明の第四の実施形態を図１１及び図１２に示す。
図１１、図１２に示すように、本形態の壁板の取付具における基部１は第一実施形態の壁板の取付具における基部１とほぼ同様の形態を有するが、本形態の取付具は、上側及び下側の係合片３ａ，３ｂの幅方向長さを大きくとるため、下側係合片３ｂを別部材８で構成した。そのため、内側折曲面１ｄにはその別部材８を引掛けるためのスリット１ｄａが付けられている。
【００４２】
また、ブラケット部２には、別部材８のブラケット部８ｄと歯合するため、２列の矩形打抜穴２ａが形成されており、その先端側には上側に折曲され、ブラケット部２全幅に亘り一定断面を有する上側係合片３ａが設けられている。
【００４３】
一方、前記別部材８には中央にクギやビスなどの止め具を通すための矩形穴８ａａが開けられた主板部８ａと、前記本体の内側折曲面に当接する上側の折曲片部８ｂ、及び本体左右の折曲片部１ｃに外接する左右折曲片部８ｃと主板部８ａ下端から突出した別部材ブラケット部８ｄを有する。また、上側の折曲片部８ｂには、前記スリット１ｄａに引掛る引掛部８ｂａが設けられており、別部材ブラケット部８ｄは本体ブラケット部２の２列の矩形打抜穴２ａに嵌合する部分のみがブラケットとして残されて壁板の表側方に突出している。さらに、ブラケット部８ｄの先端側は下側に折曲され、上側係合片３ａとほぼ同じ幅に亘り一定断面を有する下側係合片３ｂが設けられている。
【００４４】
この場合において、本体ブラケット部２をやや上側に傾斜させておき、別部材ブラケット部８ｄをやや下側に傾斜させておくと、上側及び下側の係合片３ａ，３ｂに、壁板の本体小口面に設けられた凸部を引掛ける場合に、その奥を確実に係止させることができる。
なお、主板部矩形穴８ａａの下側には、本体下部係止片１ｅの姿勢を傾斜させるため、ブラケット部２を打ち抜いた部分の一部を残し、折りたたんで三角突起８ａｂを形成している。また、本実施形態では、上側係合片３ａのみにそれを覆う先端が鋭利な突起４ａａを有する摺動カバー４を設け、下側係合片３ｂの摺動カバーを省略して簡略化している。
【００４５】
以上、本発明の４種の実施形態について説明したが、本発明は、これらの実施形態に限定されるものではなく、発明の主旨から逸脱しない範囲でその態様を変更して具体化することができる。
たとえば、第一実施形態及び第四実施形態においては、摺動カバーは本取付具の壁板係合部のうち、上側の係合片のみに設け、第三実施形態においては上下の係合片に設けたが、各実施形態において、摺動カバーを上側又は下側の係合片のみに設けたり、その両方の係合片に設けたりしてもよい。
【００４６】
また、第二実施形態においては、壁板で構成した壁面の最下部小口面を支持する壁板の取付具について説明したが、壁面の最上部小口面を支持する壁板の取付具についても、これに習い、変更して具体化することもできる。
【００４７】
【発明の効果】
本発明における各請求項の壁板の取付具は、それぞれつぎのような効果を奏する。
請求項１の壁板の取付具においては、壁板同士の不陸をなくし、また、施工が容易な、上下壁板の小口面凸部を挟持する方式の壁板の取付具であって、地震時等に取付下地が変形したときには、壁板と取付具との間のずれを、取付具の壁板係合部と摺動カバーとのずれによって吸収することができる。従って、取付具の壁板係合部が壁板小口面やその小口面に設けられた凸部を擦らないので、壁板が脆弱である場合や、地震による揺れが大きい場合などにおいても、壁板小口面が変形したり、破壊されたりしない。
【００４８】
請求項２の壁板の取付具においては、取付具の壁板係合部上側又は下側の壁板のみの小口面凸部を挟持する方式の壁板の取付具であって、地震時等に取付下地が変形したときには、請求項１の壁板の取付具と同様の効果を得る。
【００４９】
請求項３の壁板の取付具においては、先端が鋭利な突起によって摺動カバーが壁板の本体小口面にしっかりと確実に固定されるので、壁板の本体小口面やその小口面に設けられた凸部を前記摺動カバーが確実に擦らなくなるという利点がある。したがって、請求項１又は請求項２の壁板の取付具においてさらに壁板が脆弱である場合や、地震による揺れがさらに大きい場合にも壁板小口面が変形したり、破壊されたりしなくなる。
【００５０】
請求項４の壁板の取付具においては、請求項１〜請求項３の効果に加え、取付具の壁板係合部が、前記小口面の長手方向には変化しない断面を有しているので、摺動カバーのガイドとして適切になり、摺動カバーが取付具の壁板係合部先端に沿ってより摺動しやすくなる。
【００５１】
請求項５の壁板の取付具においては、請求項１〜請求項４の効果に加え、摺動カバーを壁板小口面に設けられた溝に挿入する場合において、そのフランジがガイドとなり、摺動カバーが傾いたまま奥に引っかかることなく、摺動カバーを溝内に挿入することができる。
【図面の簡単な説明】
【図１】本発明の第一の実施形態である壁板の取付具を示す斜視図。
【図２】その壁板の取付具の分解図。
【図３】その壁板の取付具の使用方法を示す切断面図。
【図４】図３において取付下地が変形した場合を示す正面図。
【図５】本発明の第二の実施形態である壁板の取付具を示す斜視図。
【図６】その壁板の取付具の分解図。
【図７】その壁板の取付具の使用方法を示す切断面図。
【図８】本発明の第三の実施形態である壁板の取付具を示す斜視図。
【図９】その壁板の取付具の分解図。
【図１０】その壁板の取付具の使用方法を示す切断面図。
【図１１】本発明の第四の実施形態である壁板の取付具を示す斜視図。
【図１２】その壁板の取付具の分解図。
【図１３】従来の壁板の取付具を示す斜視図。
【符号の説明】
Ｂ      取付下地
Ｐ      壁板
Ｔ      壁板の取付具
１      基部
１ａ      壁板当接面部
１ｂ        上側の折曲片部
１ｂａ          傾斜片部
１ｂｂ          上部係止片
１ｃ        下側及び左右側の折曲片部
１ｄ        内側折曲面
１ｄａ          スリット
１ｅ        下部係止片
２      ブラケット部
２ａ      矩形打抜穴
３      壁板係合部
３ａ        上側係合片
３ａａ          （上側）壁板係合部先端
３ｂ        下側係合片
３ｂａ          （下側）壁板係合部先端
３ｂｂ          先端が鋭利な突起
４      摺動カバー
４ａ        上側摺動カバー
４ａａ          先端が鋭利な突起
４ａｂ          フランジ
４ａｃ          棒状部材
４ａｄ          穴
４ｂ        下側摺動カバー
４ｂａ          先端が鋭利な突起
４ｂｂ          棒状部材
４ｂｃ      穴
５      下部小口面
５ａ      凸部
５ｂ      溝部
６      上部小口面
６ａ      凸部
６ｂ      溝部
７      止め具
８      別部材
８ａ      主板部
８ａａ          矩形穴
８ａｂ          三角突起
８ｂ      上側折曲片部
８ｂａ      引掛部
８ｃ      左右折曲片部
８ｄ      別部材ブラケット部
【図１】
0004372921.tif 000002
【図２】
0004372921.tif 000003
【図３】
0004372921.tif 000004
【図４】
0004372921.tif 000005
【図５】
0004372921.tif 000006
【図６】
0004372921.tif 000007
【図７】
0004372921.tif 000008
【図８】
0004372921.tif 000009
【図９】
0004372921.tif 000010
【図１０】
0004372921.tif 000011
【図１１】
0004372921.tif 000012
【図１２】
0004372921.tif 000013
【図１３】
0004372921.tif 000014